(57)【要約】【課題】室内に熱を輻射できる機能を備えるとともに室内で発生した音の反射を抑制できる機能を備えた天井板、及び、当該天井板を用いた輻射式空調システムを提供する。【解決手段】本発明の天井板１は、複数の凹部４を有した板２と、複数の凹部４内にそれぞれ吸音材３が設置されて構成された複数の吸音部５と、輻射面６とを備え、複数の吸音部５が室内１０側に向けて設置される天井板１であって、輻射面６は、吸音部５よりも室内１０側に位置する板により構成され、天井裏７に設置された熱源８からの熱を室内１０に輻射することを特徴とする。【選択図】図１
2018162954.tif 000002
【特許請求の範囲】
【請求項１】
複数の凹部を有した板と、複数の凹部内にそれぞれ吸音材が設置されて構成された複数の吸音部と、輻射面とを備え、複数の吸音部が室内側に向けて設置される天井板であって、
輻射面は、吸音部よりも室内側に位置する板により構成され、天井裏に設置された熱源からの熱を室内に輻射することを特徴とする天井板。
【請求項２】
互いに隣り合う凹部と凹部との間の水平面が輻射面として機能することを特徴とする請求項１に記載の天井板。
【請求項３】
板は、水平板と、水平板より部屋側に突出した複数の突出板とを備え、
凹部は、水平板と複数の突出板とで囲まれて形成され、
吸音部は、凹部に吸音材が設置されて構成され、
輻射面は、吸音部より部屋側に位置される突出板により形成されたことを特徴とする請求項１に記載の天井板。
【請求項４】
請求項１乃至請求項３のいずれか一項に記載の天井板と、天井板の天井裏側に設置された熱源とを備えたことを特徴とする輻射式空調システム。
【発明の詳細な説明】
【技術分野】
【０００１】
本発明は、輻射式空調システムに使用される天井板、及び、当該天井板を用いた輻射式空調システムに関する。
【背景技術】
【０００２】
従来、天井裏に設置された熱源の熱を天井板を介して室内に輻射する輻射式空調システムが知られている（特許文献１参照）。
【先行技術文献】
【特許文献】
【０００３】
【特許文献１】特開２０１１−２１０６号公報
【発明の概要】
【発明が解決しようとする課題】
【０００４】
しかしながら、従来の輻射式空調システムに使用される天井板は、熱を輻射するために金属等の熱伝導性の高い材料により形成されているため、室内で発生した音が天井板により室内に反射しやすいという課題があった。
本発明は、室内に熱を輻射できる機能を備えるとともに室内で発生した音の反射を抑制できる機能を備えた天井板、及び、当該天井板を用いた輻射式空調システムを提供する。
【課題を解決するための手段】
【０００５】
本発明に係る天井板は、複数の凹部を有した板と、複数の凹部内にそれぞれ吸音材が設置されて構成された複数の吸音部と、輻射面とを備え、複数の吸音部が室内側に向けて設置される天井板であって、輻射面は、吸音部よりも室内側に位置する板により構成され、天井裏に設置された熱源からの熱を室内に輻射することを特徴とする。
また、互いに隣り合う凹部と凹部との間の水平面が輻射面として機能することを特徴とする。
また、板は、水平板と、水平板より部屋側に突出した複数の突出板とを備え、凹部は、水平板と複数の突出板とで囲まれて形成され、吸音部は、凹部に吸音材が設置されて構成され、輻射面は、吸音部より部屋側に位置される突出板により形成されたことを特徴とする。
本発明に係る輻射式空調システムは、上述した天井板と、天井板の天井裏側に設置された熱源とを備えたことを特徴とする。
本発明の天井板、及び、輻射式空調システムによれば、室内に熱を輻射できるとともに室内で発生した音の反射を抑制できるようになる。
【図面の簡単な説明】
【０００６】
【図１】天井板を用いた輻射式空調システムを示す図。
【図２】天井板を示す斜視図。
【図３】天井板を示す断面図。
【図４】天井板の輻射効果と吸音効果の調整を説明する図。
【図５】天井板の吸音性の調整を説明する図。
【図６】天井板を示す斜視図。
【図７】天井板の輻射効果と吸音効果の調整を説明する図。
【発明を実施するための形態】
【０００７】
実施形態１
図２に示すように、実施形態１に係る天井板１は、金属板等の熱伝導性が高い材料、例えばアルミ合金等により形成された板２に吸音材３が取付けられて構成される。
板２は、例えば四角形の金属板をプレス加工して板面が凹凸形状となるように形成された板２である。例えば、長方形の金属板の長手方向に延長する断面四角形状の複数の凹部４，４…が、長方形の金属板の短手方向に沿って所定の間隔を隔てて隣り合うように形成された板２である。
吸音材３は、例えば、グラスウールである。
【０００８】
即ち、図１，図２に示すように、天井板１は、複数の凹部４，４…を有した板２と、複数の凹部４，４…内にそれぞれ吸音材３が設置されて構成された複数の吸音部５，５…と、輻射面６とを備え、複数の吸音部５，５…が建物１００の室内１０側に向けて設置される天井板１であって、輻射面６は、吸音部５，５…よりも室内１０側に位置する板２の室内０側に露出した面により構成され、当該天井板１の裏側である天井裏７に設置された熱源８からの熱を室内１０に輻射するように構成される。
また、複数の吸音部５，５…が部屋１０側に向けられて天井板１が設置され、かつ、当該天井板１の天井裏７側に熱源８が設置されることにより、輻射式空調システム２０が構築される。
熱源８としては、例えば、天井裏７に空調用流体（例えば冷水又は温水）を通すパイプ、又は、空調機等が用いられる。
【０００９】
尚、天井板１は、例えば天井スラブから吊り下がるように設けられた図外のボルトに取付けられたり、図外の天井下地に取付けられる。また、このように取付けられた天井板１における吸音部５，５…よりも室内１０側に位置する板２の室内１０側に露出した面により構成される輻射面６は、熱の輻射効率（放射効率）を上げるため例えば黒色等の黒色系の色に着色されていることが好ましい。
【００１０】
実施形態１では、図１に示すように、吸音部５，５…よりも室内１０側に位置する板２の板面（室内１０側に露出した面）が、天井裏７に設置された熱源８からの熱を室内１０に輻射（放射）する輻射面６として機能するように構成されており、図３に示すように、当該輻射面６が、互いに隣り合う凹部４と凹部４との間の水平な板面により形成される。
また、図３に示すように、凹部４の深さよりも吸音部５の深さが浅い場合には、吸音材３で覆われていない凹部４の壁面４１（室内１０側に露出した面）も輻射面６として機能する。
【００１１】
実施形態１に係る天井板１では、図３に示すように、凹部４の幅寸法と輻射面６の幅寸法とを同じにすることにより、輻射効果及び吸音効果がバランス良く得られると考えられるが、輻射効果を大きくしたり、吸音効果を大きくしたい場合等の、輻射効果及び吸音効果の調整は、図４に示すように、凹部４の幅寸法Ｄｓと輻射面６の幅寸法Ｄｒとを調整することにより実現できる。
【００１２】
また、実施形態１に係る天井板１では、吸音性の調整は、図５に示すように、凹部４内に設置される吸音材３の量（吸音材３の厚さ寸法Ｈｓ）を調整することにより実現できる。
【００１３】
実施形態１に係る天井板１によれば、吸音部５と輻射面６とを備えるので、天井裏７に設置された熱源８からの熱が輻射面６を介して室内１０に輻射されるとともに、室内１０で発生した音が吸音材３に吸収されるので、音が室内１０に反射することを抑制できるようになる。即ち、室内１０に熱を輻射できるとともに室内１０で発生した音の反射を抑制できるようになる。
【００１４】
また、実施形態１に係る天井板１を用いた輻射式空調システム２０によれば、室内１０に熱を輻射できるとともに室内１０で発生した音の反射を抑制できる輻射式空調システム２０を構築できる。
【００１５】
実施形態２
実施形態２に係る天井板１は、図６に示すように、金属板等の熱伝導性が高い材料、例えばアルミ合金等により形成された板２Ａが、水平板１２と水平板１２より室内１０側に突出する複数の突出板１３，１３…とを備えた構成であり、凹部４Ａが、水平板１２と水平板１２より室内１０側に突出した複数の突出板１３，１３とで囲まれて形成された構成であり、複数の凹部４Ａ，４Ａ…にそれぞれ吸音材３が設置されて構成された複数の吸音部５,５…を備え、輻射面６Ａが、吸音部５より室内１０側に位置される突出板１３の板面により構成された天井板１である。当該輻射面６Ａには、熱の輻射効率（放射効率）を上げるため例えば黒色等の黒色系の色に着色されていることが好ましい。
天井板１は、水平板１２が、例えば長方形の板により形成され、長方形の板の一方の板面において、当該板面に対して垂直方向に延長するとともに当該板面の長手方向に延長するように取付けられた突出板１３が、当該板面の短手方向に沿って所定の間隔を隔てて隣り合うように複数設けられた構成である。
【００１６】
実施形態２の天井板１は、隣り合う各突出板１３，１３と当該各突出板１３，１３の間に位置される水平板１２とで囲まれた形成された複数の凹部４Ａ，４Ａ…にそれぞれ吸音材３が設置されて構成された複数の吸音部５，５…を備えた天井板１である。
実施形態２の天井板１は、複数の吸音部５，５…が室内１０側に向けて設置されて、吸音部５，５…よりも部屋１０側に位置する突出板１３の板面が輻射面６Ａとして機能するように構成され、当該天井板１の天井裏７側（水平板１２の室内１０側とは反対の面側）に熱源８が設置されて、輻射式空調システムが構築される。
【００１７】
実施形態２に係る天井板１では、輻射効果及び吸音効果の調整は、図７に示すように、吸音部５の深さ寸法Ｈ１と吸音部５より突出する突出板１３の突出寸法Ｈ２とを調整することにより実現できる。
【００１８】
実施形態２に係る天井板１によれば、吸音部５と輻射面６Ａとを備えるので、天井裏７に設置された熱源８からの熱が輻射面６Ａを介して室内１０に輻射されるとともに、室内１０で発生した音が吸音材３に吸収されるので、音が室内１０に反射することを抑制できるようになる。即ち、室内１０に熱を輻射できるとともに室内１０で発生した音の反射を抑制できるようになる。
また、実施形態２に係る天井板１を用いた輻射式空調システムによれば、室内１０に熱を輻射できるとともに室内１０で発生した音の反射を抑制できる輻射式空調システム２０を構築できる。
【符号の説明】
【００１９】
１  天井板、２，２Ａ  板、３  吸音材、４，４Ａ  凹部、５  吸音部、
６，６Ａ  輻射面、７  天井裏、１０  室内、２０  輻射式空調システム。
【図１】
2018162954.tif 000003
【図２】
2018162954.tif 000004
【図３】
2018162954.tif 000005
【図４】
2018162954.tif 000006
【図５】
2018162954.tif 000007
【図６】
2018162954.tif 000008
【図７】
2018162954.tif 000009